(57)【特許請求の範囲】
【請求項１】
ヘッダー構造および終端キャップ構造を有するフレームと、複数の側板に連結されている２つのフィルタープリーツ状媒体と、それぞれの前記フィルタープリーツ状媒体の下流表面にそれぞれ連結されおよび沿っている少なくとも２つの支持部材と、を含む、Ｖパネルフィルター集成体であって、
前記複数の側板は前記ヘッダー構造を前記終端キャップ構造に連結しており、前記終端キャップ構造は前記複数の側板のうち２つに連結された終端キャップを含み、
それぞれの前記フィルタープリーツ状媒体は前記フィルタープリーツ状媒体の上流表面および前記Ｖパネルフィルター集成体を通って流れる方向において前記上流表面と反対にある前記下流表面を含み、それぞれの前記フィルタープリーツ状媒体は前記フィルタープリーツ状媒体の上部と前記フィルタープリーツ状媒体の底部との間のプリーツ状配置を含み、それぞれの前記フィルタープリーツ状媒体は前記ヘッダー構造および前記終端キャップに先細りの配置で連結されており、前記フィルタープリーツ状媒体はプリーツ状配置にある複数のひだを含み、
前記少なくとも２つの支持部材のそれぞれの少なくとも一部は前記プリーツ状配置内を少なくとも部分的に貫通しおよび前記フィルタープリーツ状媒体の前記プリーツ状配置のひだ内を伸びており、前記少なくとも２つの支持部材は前記フィルタープリーツ状媒体の前記下流表面に沿って伸びる第１の部分および前記フィルタープリーツ状媒体の少なくとも２つのひだの間の前記プリーツ状配置中に伸びる第２の部分を有するＴ形断面を含み、前記フィルタープリーツ状媒体の単一のひだの幅は前記支持部材の前記第１の部分の幅の±２０％以内であり、前記少なくとも２つの支持部材は等距離±５０ｍｍ以内の様式で相互におよび前記フレームから配置されおよび離間しており、前記少なくとも２つの支持部材は前記フィルタープリーツ状媒体の下流表面積の約３０％以下を制限し、前記Ｖパネルフィルター集成体は破裂試験において少なくとも６２．５ｋＰａの差圧に対してその構造を実質的に維持するように構成されている、Ｖパネルフィルター集成体。
【請求項２】
前記フィルタープリーツ状媒体は、スパンボンドポリマー繊維の媒体または延伸可能なポリテトラフルオロエチレンの１つを含む、請求項１に記載されたＶパネルフィルター集成体。
【請求項３】
前記少なくとも２つの支持部材は等距離で相互におよび前記フレームから配置されおよび離間している、請求項１に記載されたＶパネルフィルター集成体。
【請求項４】
前記フレーム内の前記２つのフィルタープリーツ状媒体は、少なくとも約１ｋＰａの前記フィルタープリーツ状媒体の前記上流表面および下流表面にわたる差流体圧力で、前記フィルタープリーツ状媒体の垂直軸から約２０ｍｍ以下外側へ偏位するようにそれぞれ構成されている、請求項１に記載されたＶパネルフィルター集成体。
【請求項５】
流体のろ過方法であって、前記方法は、
フィルター集成体で前記流体を受けることと、
前記フィルター集成体によって前記流体をろ過することと、
を含み、
前記フィルター集成体は、
ヘッダー構造および終端キャップ構造を有するフレームと、
複数の側板に連結されているフィルタープリーツ状媒体と、
前記フレームの一部分に連結されておりおよび前記フィルタープリーツ状媒体の下流表面に連結されおよび沿っている少なくとも２つの支持部材と、
を含み、
前記複数の側板は前記ヘッダー構造を前記終端キャップ構造に連結しており、
前記フィルタープリーツ状媒体は上流表面および前記フィルター集成体を通って流体が流れる方向において前記上流表面と反対の前記下流表面を含み、前記フィルタープリーツ状媒体はプリーツ状配置を含み、
前記少なくとも２つの支持部材は前記プリーツ状配置を少なくとも部分的に貫通しておりおよび前記フィルタープリーツ状媒体の前記プリーツ状配置のひだ内の伸びており、
前記流体は前記フィルタープリーツ状媒体に沿った任意の位置において約２５ｍｍ未満の前記フィルタープリーツ状媒体の垂直軸からの偏位を生じ、前記少なくとも２つの支持部材は前記フィルタープリーツ状媒体の前記下流表面に沿って伸びる第１の部分および前記フィルタープリーツ状媒体の少なくとも２つのひだの間の前記プリーツ状配置中に伸びる第２の部分を有するＴ形断面を含み、前記フィルタープリーツ状媒体の単一のひだの幅は前記支持部材の前記第１の部分の幅の±２０％以内であり、前記少なくとも２つの支持部材は等距離±５０ｍｍ以内の様式で相互におよび前記フレームから配置されおよび離間しており、前記少なくとも２つの支持部材は前記フィルタープリーツ状媒体の下流表面積の約３０％以下を制限している、方法。
【請求項６】
前記支持部材は、前記支持部材のない前記フィルタープリーツ状媒体にわたる差圧より約１０％未満高く操作中の前記フィルタープリーツ状媒体にわたる差圧を増加させる、請求項５に記載された方法。
【請求項７】
前記少なくとも２つの支持部材は等距離で相互におよび前記フレームから配置されおよび離間している、請求項５に記載された方法。
【発明の詳細な説明】
【技術分野】
【０００１】
本特許出願は、２０１５年１１月１３日出願の題名「フィルタープリーツ状（ｐｌｅａｔｅｄ）媒体のための支持部材」の米国仮出願第６２/２５５，２０５号明細書の優先権を主張し、参照によりその開示をすべて本明細書中に取り込む。
【０００２】
本発明は、支持部材に関する。さらに具体的に言うと、本発明は、フィルタープリーツ状（ｆｉｌｔｅｒ  ｐｌｅａｔｅｄ）媒体のための支持部材に関する。
【背景技術】
【０００３】
フィルター技術は、装置を製造および組み立てることを保護することから空気および水の品質を改善することまで多くの用途および環境において利用される。無数のろ過用途により、フィルターは、フィルターが設置される環境の特徴に適合することが好ましい。環境は、例えば、腐食性もしくは有毒性材料またはさもなければ、極端な温度または圧力などの厳しい条件を含むことができる。これらの理由により、多くの場合、高温および／または高圧などの種々の操作状態下でフィルター媒体を試験することが必要である。多くのフィルター設計は、フィルター媒体が試験の間の操作状態に耐えるかまたは操作要件を維持することができないことにより、これらの環境が不適当であることを証明している。
【０００４】
国際公開第２０１４/０４４３２４号パンフレットは、フィルター媒体のための裏地網（ｂａｃｋｉｎｇ ｎｅｔ）を開示する。裏地網は、複数の縦のはりおよび少なくとも１つの横のはりを含む。縦のはりの少なくとも１つの高さは、縦のはりの長さに沿って変化し、その高さは、その第１の終端に向かって減少しているようになっている。この開示はまた、そうした裏地網を有するフィルター媒体およびＶタイプフィルターに関する。
【０００５】
米国特許第８、３２８、８９５号明細書は、第１のフィルター媒体部分と第２のフィルター媒体部分との間に位置する接続部材を有するフィルター媒体プリーツパックを提供することによって達成される、フィルター媒体プリーツパック（ｐｌｅａｔ ｐａｃｋ）を開示する。第１のフィルター媒体部分は、片側で接続部材に連結されており、および第２のフィルター媒体部分は、反対側で接続部材に連結されている。接続部材は、フィルター媒体プリーツパックに剛性を提供し、および高圧下での過度の曲がりおよび続く引き裂きおよび破裂を止めるようにパネルに支持を提供する。
【０００６】
米国特許出願公開第２０１１/０２５２７５９号明細書は、長方形の開口を規定するフレームを含むフィルター集成体を開示する。チャネルは、長方形の開口の外周の少なくとも一部分の周囲に配置されている。フィルター媒体プリーツパックはフレームの全長方形の開口にわたって伸びている。フィルター媒体プリーツパックは、第１の方向でフィルター媒体を通してガス流から粒子を分離する。フィルター媒体を通って第１の方向にガスが流れる際に、支持構造は、フレームと接続可能であり、およびフィルター媒体プリーツパックに係合して、フィルター媒体プリーツパックの動作を制限する。
【発明の概要】
【発明が解決しようとする課題】
【０００７】
多くの市販されているフィルターパックに存在する継続する問題は、高圧荷重下でのフィルターの偏位および／または故障である。したがって、改善されたフィルター媒体、および特に、材料および流体をろ過するための改善された方法およびシステムへのニーズが存在する。これらのおよび他のニーズは、本発明によって取り組まれる。
【課題を解決するための手段】
【０００８】
発明の要約
【０００９】
一態様では、本発明は、ヘッダー構造と、終端キャップ構造と、ヘッダー構造を終端キャップ構造に連結している複数の側板とを有するフレームと、複数の側板に連結されているフィルタープリーツ状媒体と、フレームの一部分に連結されおよびフィルタープリーツ状媒体の上流表面または下流表面の少なくとも１つに沿って配置されている支持部材と、を含む、フィルター集成体あって、フィルタープリーツ状媒体は上流表面およびフィルター集成体を通って流れる方向において上流表面と反対側の下流表面を含み、フィルタープリーツ状媒体はプリーツ状配置にある複数のひだを含み、支持部材はプリーツ状配置を少なくとも部分的に貫通している、フィルター集成体を対象にする。
【００１０】
別の態様では、本発明は、ヘッダー構造および終端キャップ構造を有するフレームと、複数の側板に連結されている２つのフィルタープリーツ状媒体と、それぞれのフィルタープリーツ状媒体の上流表面または下流表面の少なくとも１つにそれぞれ連結されおよび沿っている少なくとも２つの支持部材と、を含む、Ｖパネルフィルター集成体であって、複数の側板はヘッダー構造を終端キャップ構造に連結しており、終端キャップ構造は複数の側板の２つに連結された終端キャップを含み、それぞれのフィルタープリーツ状媒体は上流表面およびフィルター集成体を通って流れる方向において上流表面と反対側の下流表面を含み、それぞれのフィルタープリーツ状媒体はフィルタープリーツ状媒体の上部とフィルタープリーツ状媒体の底部との間のプリーツ状配置を含み、それぞれのフィルタープリーツ状媒体は先細りの配置でヘッダー構造および終端キャップに連結されており、フィルタープリーツ状媒体はプリーツ状配置にある複数のひだを含み、少なくとも２つの支持部材のそれぞれの少なくとも一部分はフィルタープリーツ状媒体のプリーツ状配置内を少なくとも部分的に貫通しておりおよびプリーツ状配置のひだ内を伸びている、Ｖパネルフィルター集成体を対象にする。
【００１１】
別の態様では、本発明は、フィルタープリーツ状媒体と、フィルタープリーツ状媒体の上流表面または下流表面の少なくとも１つに連結されている支持部材と、を含む、フィルター集成体であって、フィルタープリーツ状媒体は上流表面およびフィルター集成体を通って流体が流れる方向において上流表面と反対側の下流表面を含み、フィルタープリーツ状媒体はプリーツ状配置を含み、支持部材の少なくとも一部はフィルタープリーツ状媒体のプリーツ状配置のひだ内を伸びている、フィルター集成体を対象にする。
【００１２】
別の態様では、本発明は、フィルタープリーツ状媒体と、フィルタープリーツ状媒体の上流表面に連結されている支持部材と、を含む、フィルター集成体であって、フィルタープリーツ状媒体は、上流表面およびフィルター集成体を通って流体が流れる方向において上流表面と反対側の下流表面を含み、フィルタープリーツ状媒体はプリーツ状配置を含み、支持部材の少なくとも一部はフィルタープリーツ状媒体のプリーツ状配置のひだ内を伸びている、フィルター集成体を対象にする。
【００１３】
別の態様では、本発明は、フィルタープリーツ状媒体と、フィルタープリーツ状媒体の下流表面に連結されている支持部材と、を含む、フィルター集成体であって、フィルタープリーツ状媒体は、上流表面およびフィルター集成体を通って流体が流れる方向において上流表面と反対側の下流表面を含み、フィルタープリーツ状媒体はプリーツ状配置を含み、支持部材の少なくとも一部はフィルタープリーツ状媒体のプリーツ状配置のひだ内を伸びている、フィルター集成体を対象にする。
【００１４】
本発明は、フレーム構造を含むことができるＶパネルフィルター集成体をまた含む。フレーム構造は、ヘッダー構造および終端キャップ構造を含むことができ、複数の側板はヘッダー構造を終端キャップ構造に連結している。終端キャップ構造は、複数の側板の２つ、例えば、上部側板および底部側板に連結した終端キャップを含むことができる。フィルター集成体は、複数の側板に固定的に連結された２つのフィルタープリーツパックを含むことができ、およびそれぞれのフィルタープリーツパックは、上流表面およびフィルター集成体を通って流体が流れる方向において上流表面と反対側の下流表面によって特徴付けられることができる。それぞれのフィルター媒体は、フィルター媒体の上部とフィルター媒体の底部との間のプリーツ状配置を含むことができ、それぞれのフィルター媒体は先細りの配置でヘッダー構造および終端キャップに連結されていることができ。フィルター集成体は、それぞれのフィルター媒体の下流表面に沿ってヘッダー構造と終端キャップとの間で連結された少なくとも２つの支持部材を含むことができる。一態様では、それぞれの複数の支持部材の少なくとも一部は、フィルター媒体のプリーツ状配置を少なくとも部分的に貫通し、およびプリーツ状配置の１つのひだ中に伸びていることができる。本発明の一態様では、複数の支持部材はそれぞれ、少なくとも１つの他の支持部材およびフィルター媒体の上部もしくは底部から、または少なくとも２つの他の支持部材から、実質的に等距離に配置されていることができる。
【００１５】
一態様では、フィルター媒体は、膜、セルロースマイクロガラス繊維、メルトブロー、スパンボンド、またはこれらの材料の複合物を含むことができる。一態様では、支持部材は、フィルター媒体の下流表面積の約３０％以下を制限できる。フレーム内のフィルター媒体はそれぞれ、少なくとも１ｋＰａのフィルター媒体の上流表面における流体圧力でフィルター媒体の垂直軸から２０ｍｍ以下で外側へ偏位するように構成されていることができる。Ｖパネルフィルター集成体は、約６２．５ｋＰａ以上の差圧に対してそれらの構造を実質的に維持するように構成されていることができる。
【００１６】
他の態様において、本発明は、流体のろ過方法に関する。一態様では、例えば、本発明は流体のろ過方法を対象にし、この方法はフィルター集成体において流体を受けることと、フィルター集成体によって流体をろ過することと、を含み、フィルター集成体は、ヘッダー構造および終端キャップ構造を有するフレームと、複数の側板に連結されているフィルタープリーツ状媒体と、フレームの一部分に連結されておりおよびフィルタープリーツ状媒体の上流表面または下流表面の少なくとも１つに沿って配置されている支持部材と、を含み、複数の側板はヘッダー構造を終端キャップ構造に連結しており、フィルタープリーツ状は上流表面およびフィルター集成体を通って流体が流れる方向において上流表面と反対側の下流表面を含み、およびフィルタープリーツ状媒体はプリーツ状配置を含み、支持部材は、フィルタープリーツ状媒体のプリーツ状配置を少なくとも部分的に貫通しておりおよびプリーツ状配置のひだ内を伸びており、流体はフィルタープリーツ状媒体に沿った任意の位置においてフィルタープリーツ状媒体の垂直軸から約２５ｍｍ未満の偏位を生じる。
【００１７】
この方法はまた、フィルター集成体によって流体をろ過することを含むことができ、流体はフィルター媒体に沿った任意の位置においてフィルター媒体の垂直軸から約２５ｍｍ以下の偏位を生じる。フィルター集成体は、少なくとも約６２．５ｋＰａの流体によって及ぼされる差圧に対してその構造を実質的に維持するように構成されていることができる。さらに、支持部材は、支持部材なしで、フィルター媒体にわたる差圧より１０％未満高く操作中のフィルター媒体にわたる差圧の上昇を生じることができる。
【００１８】
フィルター集成体の支持部材の幅は、フィルター媒体の単一のひだの幅に類似することができる。一態様では、支持部材は、フィルタープリーツパックの下流表面に沿って伸びる第１の部分、およびフィルタープリーツパックのひだ内のプリーツ状配置中に伸びる第２の部分を有するＴ形断面を含むことができる。第１の部分は、少なくとも１つの開口を画定できる。フィルター集成体は、２つまたは３つ以上の支持部材を含むことができ、および２つまたは３つ以上の支持部材は、ブリッジ部材（ｂｒｉｄｇｅ ｍｅｍｂｅｒ）によって、それぞれの支持部材の少なくとも１つの終端上で相互に連結されていることができる。ブリッジ部材は、ブリッジ部材の長さに沿った複数のタブによって特徴付けられることができ、およびブリッジ部材は、複数のタブのうちのタブの間の隙間を画定できる。
【００１９】
本明細書中に記載されたこれらの態様は、従来の技術より多数の利点を提供できる。例えば、本発明は、フィルターの構造的な偏位への心配なく高圧用途においてろ過を可能にできる。さらに、本発明の態様は、フィルターにわたる差圧における低さまたは無視できる増加を有する改善されたフィルター支持を提供する。多くのそれらの利点および特徴とともに、これらのおよび他の態様は、下記の記載および付属の図とともにさらに詳細に記載される。
【図面の簡単な説明】
【００２０】
本発明は、付属の非限定の図を見ることでさらに良好に理解されるであろう。
【００２１】
【図１Ａ】図１Ａは、本発明の態様による水平位置における支持部材を含むフィルター集成体の斜視図を示す。
【００２２】
【図１Ｂ】図１Ｂは、本発明の態様による垂直位置における支持部材を含むフィルター集成体の斜視図を示す。
【００２３】
【図２】図２は、本発明の態様による支持部材の斜視図を示す。
【００２４】
【図３】図３は、本発明の態様による支持部材の斜視図を示す。
【００２５】
【図４Ａ】図４Ａは、本発明の態様による支持部材に連結されたフィルター媒体の断面面図を示す。
【００２６】
【図４Ｂ】図４Ｂは、本発明の態様による支持部材の断面図を示す。
【００２７】
【図５Ａ】図５Ａは、本発明の態様による水平位置における支持部材を含むフィルター集成体の斜視図を示す。
【００２８】
【図５Ｂ】図５Ｂは、本発明の態様による垂直位置における支持部材を含むフィルター集成体の斜視図を示す。
【００２９】
【図６】図６は、本発明の態様による支持構造の斜視図を示す。
【００３０】
【図７】図７は、本発明の態様による支持構造の斜視図を示す。
【００３１】
【図８】図８は、本発明の態様による流体のろ過方法の簡素化した流れ図を示す。
【００３２】
【図９】図９は、従来のフィルター集成体と本発明の態様による支持部材を有するフィルター集成体とを比較する試験データを示す。
【発明を実施するための形態】
【００３３】
フィルターパネルおよび集成体は、特定の高い性能の運転的特徴がフィルターに必要な多くの用途において利用される。例えば、Ｖパネルフィルターは、空中を浮遊する粒子を除去して、浸食、詰まらせることおよび性能損失からガスタービンを保護するための用途で通常使用される。これらのタービンの技術上の正確さのために、フィルター集成体は、そこを通過する多くの材料を妨げることが典型的には必要である。Ｖパネルフィルターのための通常のフィルターサイズは、空気が入る上流表面またはヘッダーにおいて幅および高さで概略６００×６００ｍｍである。使用されるフィルターは、プリーツパックを形成するプリーツ状配置を有することができる。ひだ密度、例えば、ひだの数はフィルター集成体によって変化できるが、通常フィルター媒体当たり４〜５００ひだの範囲である。幅および高さを決定することで、フィルターの深さは、フィルターが典型的に処理できる空気流量を決定する。例えば、あるシナリオにおいて、３００ｍｍの深さのフィルターは、概して約３４００ｍ３/時間を処理でき、４００ｍｍの深さのフィルターは約４，２５０ｍ３/時間を処理でき、および６００ｍｍの深さのフィルターは、５，１００ｍ３/時間以上処理できる。
【００３４】
フィルター深さを伸ばした場合に生じる場合がある問題は、プリーツパックに加えられた距離と伴に、フィルタープリーツ状媒体が圧力下でさらに変形しやすいことである。これは、プリーツパックが圧迫されるにつれて、荷重下で変形でき、フィルター媒体面積の望ましくない損失になる場合があり、およびあるシナリオにおいて、フィルターの故障を生じる。さらに、応力は、媒体、ポッティング（ｐｏｔｔｉｎｇ）、およびフレームを含むフィルター集成体のすべての部分に伝わる場合があり、フィルター集成体中の故障点の数をさらに増加させる場合がある。試験のための一つの方法は、７２時間の間ほこりおよび水にフィルターを曝すこと、そして次に６２．５ｋＰａの差圧までフィルターを試験することを含む。それぞれのプリーツパックに掛けられた力は２２５０Ｎ以上であることができる。そうした過度の力は、保護されていないフィルターのための媒体、ポッティング、および／またはフレームの１つまたは２つ以上の故障を生じる場合がある。極端な条件下では、フィルター集成体は、ほこりおよび水がフィルターを通ることを可能にするように壊れる場合がある。
【００３５】
導入
【００３６】
本発明は、フィルタープリーツ状媒体の上流表面および／または下流表面に沿って支持部材を提供することによってフィルターの弱さに対処する。支持部材は、またフィルター集成体にわたる差圧への無視できる影響を有しながら、フィルタープリーツ状媒体に構造的な無欠陥性を提供する。支持部材配置は、フィルター性能への影響を最小化しながら、圧力下でフィルタープリーツ状媒体に掛けられた外側への力に抵抗する。
【００３７】
一態様では、支持部材は、フィルタープリーツ状媒体の上流表面に沿って配向されることができる。上流表面上に支持部材を配置することは、例えば、なんらかの下流のユニットへの異物による損傷を避けるために好都合であることができる。この態様および他の態様において、支持部材は、ひだにポッティングされていることができる。
【００３８】
別の多様では、支持部材は、フィルタープリーツ状媒体の下流表面に沿って配向されていることができる。この配置は、支持部材が、ひだにポッティングされているか、またはされていないことができる点で製造を容易にできる。この開示の目的のために、支持部材は下流表面上に、主として示されおよび記載されるが、当然のことながら、支持部材は、さらにまたは代わりに上流表面に沿って配向されることができる。さらなる態様では、支持部材は、上流表面および下流表面の両方の上に提供されることができる。
【００３９】
一態様では、フィルター集成体は、用途によってより大きいかまたはより小さい構成部分を含むことができる。例えば、フィルター集成体は、上流表面およびフィルター集成体を通って流体が流れる、例えば、気流の方向において上流表面と反対側の下流表面によって特徴付けられるフィルタープリーツ状媒体を含むことができる。フィルタープリーツ状媒体は、プリーツ状配置を有することによって特徴付けられる。支持部材はフィルタープリーツ状媒体の上流表面および／または下流表面に連結されていることができ、および支持部材の少なくとも一部は、プリーツ状配置に係合することができ、およびフィルタープリーツ状媒体のプリーツ状配置のひだ内を伸びることができる。フィルター集成体は、ヘッダー構造または終端キャップ構造を含むかまたは含まないことができる。
【００４０】
本発明の態様の支持部材およびフィルター集成体は、示された図を参照して記載されるであろう。
【００４１】
図１Ａは、本発明の１つの態様による支持部材１０２、１０３を含むフィルター集成体の斜視図１００を具体的に示す。具体的に説明されたフィルター集成体１００は、ヘッダー板１０４および終端板１０６を含む。さらに、フィルター集成体１００は、上部側板１０８および底部側板１１０を含む。上部側板および底部側板は、ヘッダー板１０４を終端板１０６に連結させる。フィルター集成体１００内に配置されているのは、フィルタープリーツ状媒体１１２である。一態様では、フィルタープリーツ状媒体１１２は、上部側板１０８から底部側板１１０に連続的に伸びており、およびフィルタープリーツ状媒体１１２は、上部側板１０８および底部側板１１０に連結されている。同様に、フィルタープリーツ状媒体１１２は、ヘッダー構造１０４から終端キャップ構造１０６に連続的にさらにまたは代わりに伸びることができ、およびフィルタープリーツ状媒体はヘッダー構造１０４および終端キャップ構造１０６に連結されていることができる。フィルタープリーツ状媒体１１２は、上流表面１１４およびフィルター集成体１００を通って流体が流れる方向１１８において上流表面１１４と反対にある下流表面１１６を有する。
【００４２】
さらに本明細書中に記載されたように、フィルタープリーツ状媒体１１２は、プリーツ状配置を含むことができる多くのフィルター配置を有することによって特徴付けられることができる。一態様では、図１Ａに示すように、支持部材１０２、１０３は、水平位置に提供されており、およびフィルタープリーツ状媒体のプリーツ状配置と位置合わせされている。別の態様では、図１Ｂに示すように、支持部材１０２、１０３は、垂直位置に提供されており、およびフィルタープリーツ状媒体のプリーツ状配置と位置合わせされている。当然のことながら、プリーツ状配置は本明細書中に記載されるであろうが、任意の多様なフィルターの表面配置を用いることができ、および本開示によって包含される。
【００４３】
支持部材
【００４４】
図１Ａおよび１Ｂをまた参照すると、フィルター集成体はまた、フィルタープリーツ状媒体１１２の下流表面１１６に沿ったヘッダー板１０４と終端板１０６とに連結されているか、またはヘッダー板１０４と終端板１０６との間にある支持部材１０２、１０３を含むことができる。支持部材１０２、１０３は、下流表面１１６に沿ってそれぞれ伸び、およびフィルタープリーツ状媒体１１２を貫通しない。フィルタープリーツ状媒体１１２を通って伸びる支持部材は不都合である、なぜなら、その場合フィルタープリーツ状媒体１１２はもはや連続的ではなく、およびフィルタープリーツ状媒体を支持部材にポッティングするための追加の処理ステップが必要であろう。本発明の態様は、有利にこれらの追加の処理ステップを避ける。さらに、フィルタープリーツ状媒体１１２がプリーツ状配置を有する場合、支持部材１０２、１０３は、ひだ中に伸びることができるが、フィルタープリーツ状媒体１１２を通らないことができる。
【００４５】
例示的な態様において、支持部材１０２、１０３が下流表面１１６上に配置されている場合、支持部材１０２、１０３のどの部分も、フィルタープリーツ状媒体１１２の上流表面１１４上にない。
【００４６】
他の態様において、支持部材は、フィルタープリーツ状媒体１１２の上流表面１１４に沿って配置されていることができる。同様に、支持部材１０２、１０３が上流表面１１４上に配置されている場合、支持部材１０２、１０３のどの部分もフィルタープリーツ状媒体１１２の下流表面１１６上にない。
【００４７】
支持部材は、フィルタープリーツ状媒体のひだと位置合わせされていることができる。これは、支持部材の一部分がひだ中に伸びることを可能にし、および構造的な無欠陥性を提供する。ひだが水平の配置を有する場合、支持部材は、水平方向に配置されていることができる。同様にひだが垂直の配置を有する場合支持部材は、垂直方向に配置されていることができる。言い換えれば支持部材は、異なる方向において交差しない、なぜならこれは支持部材の一部分がひだ中に伸びることを妨げるからである。
【００４８】
２つの支持部材１０２、１０３は、図１Ａおよび１Ｂ中に示されているが、他の態様において、フィルター集成体は、１つまたは２つ以上の支持部材、例えば、１〜１０、２〜１０、２〜８、３〜８または３〜５の支持部材を含むことができる。支持部材の数は、広くおよび概して、用いられるフィルター媒体材料、および支持部材のサイズおよび形ならびにそうしたフィルター媒体が使用されるであろう条件に依存して変化できる。当然のことながら、さらなる支持部材はフィルター媒体にさらなる剛性を提供するが、数の増加した支持部材はまた、フィルター媒体にわたる圧力低下の望ましくない増加をより生じる場合がある。さらに、複数の支持部材がフィルター集成体と伴に利用される一態様では、支持部材は、類似の設計を有することができ、または相互に異なる設計を有することができる。支持部材の設計は、Ｔ形、Ｕ形、Ｙ形、Ｉ形、またはπ形である断面図を有する設計、および下記の他の設計を含む。
【００４９】
対象となる用途のサイズ、配向、およびフィルター要求によって、支持部材の間隔は、フィルター集成体およびフィルタープリーツ状媒体への所望の程度の構造的な支持を提供するように広く変化できる。一態様では、２つまたは３つ以上の支持部材が、例えば、平行な配向で、フィルタープリーツ状媒体の上流表面および／または下流表面に沿って配置されている場合、これらの支持部材は等距離の様式でまたは等距離でない様式で、相互におよび／または最も近い平行なフレーム部材（例えば、側板、ヘッダー、または終端キャップ）から離間しおよび配置されていることができる。いくつかの態様において、支持部材は、少なくとも１つの他の支持部材およびフィルタープリーツ状媒体の上部もしくは底部から、または少なくとも２つの他の隣接した支持部材から実質的に等距離に配置されていることができる。この配置は、フィルタープリーツ状媒体に沿った等しい間隔を可能にし、構造的な無欠陥性を最大化する。例えば、２つの支持部材がフィルタープリーツ状媒体の下流表面に沿って含まれている場合、これらの支持部材は、６００ｍｍの高さを有するフィルタープリーツ状媒体の上部から２００ｍｍおよび４００ｍｍに配置されることができる。さらに、例えば、３つの支持部材がフィルタープリーツ状媒体の下流表面に沿って含まれている場合、支持部材は、６００ｍｍ高さを有するフィルタープリーツ状媒体の上部から１５０ｍｍ、３００ｍｍおよび４５０ｍｍに配置されることができる。この態様および他の態様において、実質的に等距離とは、支持部材の間の距離が（支持部材に垂直に測定して）±５０ｍｍ以内であることを意味する。さらなる形態では、支持部材の間の距離は、±４０ｍｍ、±３０ｍｍ、±２０ｍｍ、±１０ｍｍ、または±５ｍｍの範囲以内であることができる。
【００５０】
フィルタープリーツ状媒体に沿って配置されている支持部材の数に関わらず、１つまたは２つ以上の支持部材は、個々にまたは全体として、フィルター面寸法（通常のプリーツ状配置における伸されていないひだ）に基づいて、フィルタープリーツ状媒体の上流表面積および／または下流表面積の約３０％以下、例えば、上流表面積および／または下流表面積の約２５％以下、例えば、約２０％以下、約１５％以下、約１０％以下、または約５％以下を制限できる。上流表面積および／または下流表面積のより大きい量を制限することは、望ましくなくフィルタープリーツ状媒体の有効性を制限する。
【００５１】
ろ過される流体は、蒸気、空気、液体、またはそれらの組み合わせを含む１種または２種以上の流体を含むことができる。流体の非限定の例は、水、液体または蒸気薬品、またはフィルター集成体によってろ過されることができる任意の他の流体を含む。流体は、フィルター集成体の上に大きな圧力を掛けることができまたは掛けることを生じることができ、およびフィルター集成体は、流体によって掛けられた差圧に対してその構造を実質的に維持するように構成されていることができる。掛けられることができる差圧は、少なくとも約１ｋＰａの流体圧力より大きい、例えば、少なくとも約１０ｋＰａ、少なくとも約２５ｋＰａ、少なくとも約４０ｋＰａ、少なくとも約６０ｋＰａ、少なくとも約１００ｋＰａであることができ、および少なくとも約６２．５ｋＰａの流体圧力を有する操作を含むことができる。１つまたは２つ以上の支持部材は、複数の支持部材の不存在下でフィルタープリーツ状媒体にわたる差圧に対して約２５％以下のろ過操作の間のフィルタープリーツ状媒体にわたる差圧増加を生じることができる。いくつかの態様において、１つまたは２つ以上の支持部材は、約２０％以下、例えば、約１５％以下、約１０％以下、約５％以下、約３％以下、約１％以下、０〜１％、または約０％（無視できる増加）の差圧を生じることができる。
【００５２】
図２は、本発明のいくつか態様による支持部材２００の斜視図を具体的に示す。示されているように、支持部材２００は、上記に記載したようにフィルタープリーツ状媒体の下流表面に沿って伸びる第１の部分２１０（ベース部分）を有するＴ形断面を含む。支持部材２００は、フィルタープリーツ状媒体のプリーツ状配置中に伸びることができる第２の部分２２０（フランジ部分）をまた含むことができる。
【００５３】
支持部材の寸法は、より大きい流体圧力を有する用途がより大きいおよび／またはより厚い支持部材を必要とする場合がある、用途に依存することができる。さらにまたは代わりに、より大きな流体圧力を有するこれらの用途は、より大きな数の支持部材を含むことができる。さらに、支持部材が連結されているフィルタープリーツ状媒体の特徴は、支持部材の寸法に影響できる。一態様では、それぞれの支持部材２００は、第１の部分２１０の幅（ｗ）、またはフィルタープリーツ状媒体の高さに沿った約１００ｍｍ以下の高さを有することによって特徴付けられることができる。第１の部分２１０の幅はまた、約７５ｍｍ以下、例えば、約５０ｍｍ以下、約２５ｍｍ以下、約１９ｍｍ以下、約１０ｍｍ以下、または５ｍｍ以下であることができる。一態様では、第１の部分２１０の幅は、１〜１００ｍｍ、例えば、約５〜約７５ｍｍ、約１５〜約７５ｍｍまたは約２０〜約５０ｍｍであることができる。幅はまた、フィルタープリーツ状媒体の多くのひだの幅と類似であるかまたは等しいことができ、およびフィルタープリーツ状媒体の単一のひだの幅と類似であるかまたは等しいことができる。したがって、例えば、特定のプリーツ状フィルタープリーツ状媒体のひだ幅が１８ｍｍである場合、支持部材の幅、または第１の部分２１０の幅は、同様に１８ｍｍであることができ、または第１の部分の幅の数％以内（例えば２０％以内）、例えば、１５ｍｍ〜２１ｍｍ、例えば、１６〜２０ｍｍであることができる。
【００５４】
支持部材２００の全体的な長さ（ｌ）はまた、フィルタープリーツ状媒体の特徴および寸法に基づいて決定されることができる。一態様では、支持部材２００の長さは、フィルタープリーツ状媒体の少なくとも長さで連続して伸びる。別の態様では、フィルタープリーツ状媒体の長さ、またはヘッダー構造と終端キャップ構造との間の深さが６００ｍｍである場合、支持部材の長さは、６００ｍｍ、または支持部材の長さの数％以内、長さが約６００ｍｍでは、ヘッダー構造または終端キャップ構造と連結するため追加の長さを含むことできる、例えば、５９０ｍｍ〜６２０ｍｍであることができる。当然のことながら、支持部材長さは、任意の他のフィルター長さのために任意の長さであることができ、または支持部材が連結されるフィルタープリーツ状媒体の長さより大きいかより小さい任意のほかの量の長さを有することができる。
【００５５】
支持部材の高さ（ｈ）、またはプリーツ状配置内を伸びることができる量は、支持部材の高さより大きいかまたは支持部材の高さより小さいことができる。例えば、支持部材の第２の部分２２０は、約１００ｍｍ以下、例えば、約７５ｍｍ以下、約５０ｍｍ以下、約２５ｍｍ以下、約１９ｍｍ以下、約１０ｍｍ以下、または約５ｍｍ以下の高さを有することができる。一態様では、第１の部分２１０の幅は、約１〜約１００ｍｍ、例えば、約５〜約７５ｍｍ、約１５〜約７５ｍｍ、または約２０ｍｍ〜約５０ｍｍであることができる。第２の部分２２０の高さは、支持部材２２０の全高さであることができ、および第２の部分２２０の終端から第１の部分２１０を通った長さ（ｍｅａｓｕｒｅｍｅｎｔ）を含むことができる。
【００５６】
支持部材２００の第１の部分２１０および第２の部分２２０の厚さ（ｔ）は、相互に類似または異なることができ、および約１０ｍｍ以下であることができる。一態様では、厚さは、約８ｍｍ以下、例えば、約６ｍｍ以下、約４ｍｍ以下、または約２ｍｍ以下であることができる。いくつかの態様において、より厚い支持部材を使用できる。
【００５７】
図３は、本発明の別の態様による、追加の支持部材３００の斜視図を具体的に示す。支持部材３００は支持部材２００に類似することができ、および同様に第１の部分３１０および第２の部分３２０を含むことができる。支持部材３００は、支持部材３００の第１の部分３１０中に規定された開口３３０をさらに示す。一態様では、支持部材は、支持部材の第１の部分または第２の部分のいずれかまたは両方内に少なくとも１つの開口を画定でき、および支持部材の長さに沿った複数の開口を含むことができる。支持部材中に規定された開口は、任意の数の形状を、例えば、具体的に説明された三角形の形状、または円、楕円、台形、正方形、長方形、ダイアモンド、スリット、およびそれらの組み合わせを含むがこれらに限られない形状を有することができる。さらに、開口は任意の好適な寸法であることができる。例えば、開口の列は具体的に説明されたように支持部材内に画定されることができ、または１つまたは２つ以上のより大きい開口は、支持部材中に、例えば、支持部材に沿ってある距離伸びる２つまたは３つ以上の長方形の開口、または高さの大部分にわたって、画定されることができる。開口は固体の支持部材と比較して提供される支持の量を減少させる場合があるが、開口は支持部材と伴に含まれて支持部材が配置されているフィルタープリーツ状媒体の部分において増加した流れを可能にすることができる。したがって、異なる用途は、用途の具体的な特徴に基づいて開口なしから複数の開口までを含むことができる。
【００５８】
図４Ａは、本発明のいくつかの態様による支持部材４０５に連結されたフィルタープリーツ状媒体４３０の側面図を具体的に示す。具体的に説明したように、支持部材４０５は、フィルタープリーツ状媒体４３０の下流表面４３２に沿って走る第１の部分４１０（ベース部分）を含む。具体的に説明された支持部材４０５は、フィルタープリーツ状媒体４３０のひだ４３４中に伸びる第２の部分４２０（フランジ部分）をさらに含む。第２の部分４２０は、ひだ４３４中に形成された谷と接触できる。図４Ａに示すように、第２の部分４２０は、プリーツ状配置を通って上流表面４３６に伸びない。上記で既に述べたように、支持部材４０５の第２の部分４２０は、上記で説明したように、ひだ４３４中に貫通しているが、プリーツ状配置を有する実際のフィルタープリーツ状媒体４３０を貫通することはできない。第２の部分４２０は、フィルタープリーツ状媒体４３０のひだ４３４内を伸びることができ、およびフィルタープリーツ状媒体に係合またはひだ内に配置されることができる。例えば、ポッティング材料はまた、ひだ内に含まれて支持部材４０５の第２の部分４２０を連結して、フィルタープリーツ状媒体内での配置を提供することができる。ポッティング材料は、支持部材４０５の全長にわたって連続してまたは媒体に沿ったはっきりとした間隔で提供されることができる。
【００５９】
図４Ｂは、本発明の種々の態様による追加の支持部材４０５ａ〜ｅの断面図を示す。具体的に説明されたように、例示的な支持部材は、フィルタープリーツ状媒体に接触する１つまたは２つ以上の部分を含むことができる。一態様では、支持部材の設計は、ひだ中に伸びる少なくともフランジ部材を含む。例えば、支持部材４０５ａ、４０５ｃ、および４０５ｄは、上記に記載した第２の部分４２０に類似する単一のフランジ部分のみを含む。そうした態様は、他の用途よりも低い操作上の要求を有することができるが、依然フィルタープリーツ状媒体内の１つまたは２つ以上の支持部材から恩恵を受けることができる。支持部材４０５ｄ上の隆起は、フィルタープリーツ状媒体に追加の構造的な無欠陥性を提供できる。しかし、支持部材４０５ｂおよび４０５ｅは、少なくとも２つの部分、ベースおよびフランジを含み、フィルタープリーツ状媒体に追加の支持を提供する。例えば、支持部材４０５ｅは、上記に記載した第２の部分４２０に類似の２つの部分を含むことができる。したがって、そうした支持部材は、プリーツ状配置の２つの別個のひだを伸びるフランジ部分を有することができ、任意選択的に２つの隣接したひだを含むことができる。種々の支持部材の設計の寸法は、所望の剛性または支持を生成する部分を含むことができる。例えば、Ｔ形設計は、あるシナリオにおいてフィルターにわたって圧力低下におけるさらなる増加を有することができ、一方非Ｔ形の直線の設計はより少ない流れを制限できる。さらに、直線の設計、例えば、支持部材４０５ａ、４０５ｃ、および４０５ｄは、Ｔ形設計と類似の構造的な支持を提供するために増加した幅で製造されることができる。フランジ部分の終端は、フランジ部分とそれが挿入されるひだとの間の所望の接触表面積によって、なまくらか、カーブしている（弓状）かまたは尖っていることができる。ある非対称の設計は、ねじりまたはより高い差圧において生成されることができるトルクを考慮してさらになされることができる。
【００６０】
一態様では、支持部材は、フレームおよび／またはフィルタープリーツ状媒体に連結されていることができる。他の態様において、支持部材はヘッダー構造および／または終端キャップ構造に連結されていることができる。例えば、支持部材は、ヘッダーと終端キャップとの下に連結されていることができ、およびヘッダーまたは終端キャップのリップまたは出っ張り（ｌｅｄｇｅ）の下側に連結されることができる。さらに、支持部材の１つまたは両方の終端は、ヘッダー構造または終端キャップ構造内を伸びるタブを含み、連結のためのより大きい表面を提供できる。これらのおよび他の支持部材の配置を下記に記載する。
【００６１】
本明細書中に記載した連結のいずれかは、相互に構成部分を接続するポッティング材料を含むかまたは利用でき、およびフィルター集成体内のフィルタープリーツ状媒体を封止することを含むことができる。一態様では、連結は固定した連結となることができる。ポッティング材料は硬化性ポッティング材料であることができ、および種々の材料を含むことができる。好適なポッティング材料は、ウレタン、シリコーン、エポキシ、ポリビニルクロライド（ＰＶＣ）ホットメルト、プラスチゾル、メタクリル酸メチル、シアノアクリレート、もしくはフルオロシリコーン、またはそれらの組み合わせを含むことができる。使用されるポッティング材料は、連結の前にフレーム中に注がれることができる。硬化性ポッティング材料が利用される場合、ポッティング材料は、例えば、熱、伝導、ＵＶ、嫌気性条件、溶媒蒸発、および湿気を含む多くのアプローチのいずれかにより硬化されることができる。
【００６２】
ろ過操作および／または試験の間に、支持部材は、フィルタープリーツ状媒体の偏位を禁止および／または妨げることができ、および全体的なフィルター集成体の構造を維持することを助けることができる。本発明によって利用される支持部材は、フィルター集成体またはＶパネルフィルター集成体が少なくとも６２．５ｋＰａの差圧に対してその構造を実質的に維持することを可能にする。フィルター集成体の構造を実質的に維持するために、支持部材は、フィルター集成体の壊滅的な故障を防ぐことができ、またはフィルタープリーツ状媒体に沿った任意の点における閾値を超えたフィルタープリーツ状媒体の外側への偏位を防ぐことができる。したがって、本発明の態様は、有利にフィルタープリーツ状媒体がその構造を実質的に維持することを可能にする。例えば、支持部材は、下流表面上のフィルタープリーツ状媒体の外側への最大の偏位を約５０ｍｍ以下に制限または妨げることさえでき、およびいくつかの態様において外側への最大の偏位を約４０ｍｍ以下、例えば、約３０ｍｍ以下、約２０ｍｍ以下、約１０ｍｍ以下、約５ｍｍ以下、約１ｍｍ以下に制限、または検出可能な偏位を与えないことができる。最大の偏位は、フィルター集成体の終端から終端へのフィルタープリーツ状媒体の垂直軸から測定できる。最大の偏位の測定は、少なくとも約１ｋＰａ、またはいくつかの態様において少なくとも約１０ｋＰａ、例えば、少なくとも約２０ｋＰａ、少なくとも約３０ｋＰａ、少なくとも約４０ｋＰａ、少なくとも約５０ｋＰａ、少なくとも約６０ｋＰａ、少なくとも約７０ｋＰａ、または少なくとも約１００ｋＰａのフィルタープリーツ状媒体の下流表面に対する上流表面における流体差圧で行うことができる。最大の偏位は、固定された期間または様々な時間の後に試験されることができる。
【００６３】
Ｖパネル
【００６４】
図５Ａは、本発明のいくつかの態様による支持部材５５０および５６０を含むフィルター集成体の斜視図５００を示す。プリーツ状配置の配向は、図５Ａに示すように水平であることができ、または図５Ｂに示すように垂直であることができる。具体的に説明されたフィルター集成体は、ヘッダー構造５１０および終端キャップ構造５２０を含むＶパネルフィルターフレーム５０５を含む。さらに、フィルター集成体５００は、複数の上部側板５３０および底部側板５３５を含むことができ、これらの板は、ヘッダー構造５１０を終端キャップ構造５２０に連結できる。一態様では、終端キャップ構造５２０は、上部側板５３０および底部側板５３５に連結した終端キャップを含むことができる。フィルター集成体５００内に配置されるのは、上部側板５３０および底部側板５３５に連結した１つまたは２つ以上のフィルタープリーツ状媒体５４０であることができる。フィルタープリーツ状媒体５４０は、上流表面５４２およびフィルター集成体５００を通って流れる方向において上流表面５４２と反対の下流表面５４４によって特徴付けられることができる。フィルタープリーツ状媒体は、プリーツ状配置によって特徴付けられることができる。当然のことながら、プリーツ状配置は本明細書中で説明されるであろうが、あらゆる種類のフィルター表面配置は、本発明と伴に利用され、および本発明によって包含されることができる。
【００６５】
一態様では、フィルター集成体５００は、ヘッダー構造から終端キャップ構造へ先細りの様式で伸びる２つまたは３つ以上のフィルタープリーツ状媒体を有するＶパネルフィルター集成体であることができる。さらに、それぞれの終端キャップ５２０に連結したフィルタープリーツ状媒体５４０は、フィルタープリーツ状媒体がヘッダー構造５１０へ伸びるにつれて相互に分岐できる。Ｖパネルフィルター集成体は、任意の数の実際のＶパネルを含むことができ、それぞれのＶパネルは２つのフィルタープリーツ状媒体５４０を有する。例えば、Ｖパネルフィルターは、ヘッダー構造５１０に連結した、１つのＶパネル、例えば、２つのＶパネル、３つのＶパネル、４つのＶパネル、５つのＶパネル、６つのＶパネル、７つのＶパネル、または８つのＶパネルまたはそれより多くのＶパネルを有することができる。それぞれのフィルタープリーツ状媒体５４０は、上部側板５３０と底部側板５３５の間をヘッダー構造５１０から終端キャップ構造５２０に伸びる単一のフィルター媒体であることができる。例えば、単一のプリーツパックは、そのフィルター媒体と関連した、上部側板、底部側板、ヘッダー構造、および終端キャップ構造の間に規定された空間内を連続的に伸びることができる。さらに、それぞれのフィルタープリーツ状媒体５４０は、フィルター媒体の上部とフィルター媒体の底部との間のプリーツ状配置を有することができる。それぞれのフィルタープリーツ状媒体は、上部側板５３０と底部側板５３５の間の先細りの配置でヘッダー構造５１０および終端キャップ構造５２０の終端キャップに連結されていることができる。いくつかの態様において、複数のフィルタープリーツ状媒体は相互に連結されていることができ、および同一構造内で支持されていることができる。
【００６６】
図５Ａに示すように、フィルター集成体５００と伴に利用される支持部材５５０および５６０は、フィルター媒体５４０の下流表面５４４に沿って配置されることができる。支持部材５５０および５６０は、下流表面に沿った任意の位置に配置されることができ、および相互におよび／または上部側板５３０または底部側板５３５に対して離間していることができる。いくつかの態様において、支持部材５５０および支持部材５６０は、本明細書中に記載されたように相互から実質的に等距離に配置されることができる。
【００６７】
一態様では、ヘッダー構造、終端キャップ構造、上部および底部側板、および支持部材を含むフィルター集成体およびフレームの構成部分は、剛体または半剛体の組み立てであることができる。構成部分は、特定のフィルター用途に基づく構造的な特徴または性能的な特徴を提供できる任意の数の材料であることができ、またはこれらを含むことができる。構成部分は成型されるか、または押出成型されることができ、およびプラスチック、熱可塑性物質、熱硬化性物質、セラミック、カーボン繊維、および／または金属を含むことができる。構成部分のいずれかにおいて使用される材料は、ポリスチレン、ポリカーボネート、アクリル、アクリロニトリルブタジエンスチレン（ＡＢＳ）、ポリアミド、アセタール、ポリビニルクロライド、セルロース、ポリエステル、ポリエチレン、フルオロプラスチック、ポリイミド、ポリアミド、ポリプロピレン、ポリスルホン、メラミン、フェノール、ウレタン、ポリエーテルエーテルケトン、ペルフルオロアルコキシ、ポリビニリデンフルオリド、ガラス、カーボン繊維、顔料、または金属で充填されたものを含む充填複合物、および／またはこれらの材料の任意の組み合わせを含むことができるがこれらに限られない。
【００６８】
フィルター媒体
【００６９】
フィルター媒体に使用される材料は、強度、腐食抵抗、質量、および剛性を含む特定の特性のために選択される任意の数の材料を含むことができる。材料は、マイクロガラス繊維、セルロース、スパンボンド、メルトブロー、膜、およびこれらの材料のいずれかの組み合わせを含む織布および不織材料を含むことができる。フィルター媒体は、静電紡糸（ｅｌｅｃｔｒｏｓｐｕｎ）ナノファイバー織物、例えばナイロン、ＰＶＤＦ、および微小孔性ポリマー膜をまた含むことができ、これらは、例えば、ポリテトラフルオロエチレン、ポリプロピレン、およびポリエチレンを含み、これらは水の浸透をはじくことを助けることができる。フィルター媒体は、使用されるであろう用途のための特定の要求に基づいて選択されるかまたは開発されることができ、および例えば、ＡＳＨＲＡＥ５２．２試験標準当たり１〜１６、またはＥＮ１８２２−２００９試験標準当たりＥ１０〜Ｕ１７の最初効率報告値（Ｍｉｎｉｍｕｍ  Ｅｆｆｉｃｉｅｎｃｙ  Ｒｅｐｏｒｔｉｎｇ  Ｖａｌｕｅ「ＭＥＲＶ」）の評価を含むことができる。ろ過される流体が液体を含む用途では、本開示を通して記載された任意の類似の材料または組み合わせを含むことができ、および任意の数の評価でろ過に使用できる。これらの評価は、少なくとも約１００μｍ、例えば、少なくとも約１，０００μｍ、少なくとも約５０μｍ、少なくとも約４０μｍ、少なくとも約２５μｍ、少なくとも約１０μｍ、少なくとも約８μｍ、または少なくとも約２μｍを含む絶対評価または公称評価を含むことができる。
【００７０】
フィルター媒体は、微小孔性ポリマー膜を含むことができる。微小孔性ポリマー膜は、流体流れから粒子および有機体を除去する上で示されたディペンダビリティおよび信頼性を有する。そうした微小孔性膜は、それらのポリマーの組成、通気性、水侵入圧力およびろ過効率によって特徴付けられることができる。種々の微小孔性ポリマー膜は、用途の要求によって、使用されることができる。微小孔性ポリマー膜は、ニトロセルロース、トリアセチルセルロース、ポリアミド、ポリカーボネート、ポリエチレン、ポリプロピレン、ポリテトラフルオロエチレン、ポリスルホン、ポリビニルクロライド、ポリビニリデンフルオリド、またはアクリレートコポリマーを含む材料から組み立てられることができる。
【００７１】
種々の流体用途では、フィルター媒体は、水の通路を防ぐことができるが１種または２種以上の他の流体または他の材料を通すことができる、疎水性材料を含むことができ、この場合フィルター媒体はなんらかの液体が通過することなくフィルター媒体にわたって適用された差圧に耐えることができる。膜は、試験標準ＡＳＴＭ Ｆ７７８（１９９３）で決定して、約０．２バール〜約１．５バールの水侵入圧力および約７フレイザー（Ｆｒａｚｉｅｒ）〜約１００フレイザー（Ｆｒａｚｉｅｒ）または約１０フレイザー〜約４０フレイザーの平均通気性を有することができる。フィルター媒体はまた、微小孔性フルオロポリマー、例えば、ポリテトラフルオロエチレン（ＰＴＦＥ）、フッ素化エチレンプロピレン（ＦＥＰ）、ペルフルオロアルコキシポリマー（ＰＦＡ）、ポリプロピレン（ＰＰ）、ポリウレタン（ＰＵ）、ポリエチレン（ＰＥ）、または超高分子量ポリエチレン（ＵＨＭＷＰＥ）を含むことができる。種々の態様において、フィルター媒体はまた、延伸ポリテトラフルオロエチレン（ｅＰＴＦＥ）膜を含むことができる。
【００７２】
フィルター媒体は、任意選択的にフィルターのある特性を改善するためにフィラー材料を含むことができる。好適なフィラーは、カーボンブラックまたは他の導電性フィラー、触媒粒子、フュームドシリカ、コロイドシリカ、または吸着剤材料、例えば活性炭、またはセラミックフィラー、例えば活性化されたアルミナ、および二酸化チタンを含むことができるがこれらに限られない。記載したように、フィルター媒体は、織物の形態で、メルトブロー（ｍｅｌｔ ｂｌｏｗｎ）材料を含むことができる。フィルター媒体は、ポリプロピレン、ポリエステル、ポリアミド、ポリビニルクロライド、ポリメチルメタクリレート、およびポリエチレン、ならびにそれらの組み合わせを含むがこれらに限られない種々のポリマーの材料からできていることができる１種または２種以上のメルトブローポリマー繊維織物層を含むことができる。織物を形成するポリマー繊維は、約０．５μｍ〜約１０μｍ以上の範囲の直径を有することができる。メルトブローポリマー繊維織物の坪量は、例えば、約１ｇ/ｍ２〜約１００ｇ/ｍ２の範囲であることができる。メルトブローろ過媒体は、１つまたは２つ以上の電気フィルター媒体層を含むことができる。電気帯電は、種々の技術を使用してそれらのろ過性能を改善するためにメルトブロー繊維織物に与えられることができる。例えば、好適な織物は、連続して織物を一連の電界に曝すことによって簡便に冷帯電されることができ、隣接した電界は相互に実質的に反対の極性を有するようになっている。一態様では、エレクトレットフィルター材料はまた、種々の他の技術によって作られることができる。フィルター媒体材料の任意の組み合わせは、微小孔性ポリテトラフルオロエチレン膜および静電メルトブロー織物を有するフィルター媒体を含んで同様に用いられることができる。
【００７３】
静電紡糸（エレクトロスパン）工程によって生成されたものを含む一態様では、フィルター媒体は、ナノ繊維をまた含むことができ、これは小さい直径および高い表面積の合成繊維を生成できる。追加のまたは代替ナノファイバー生産方法はまた、同様に用いることができる。ガラスおよびポリマーを含む種々の材料は、ナノファイバーとして利用できる。例えば、使用されるポリマーは、ポリビニルクロライド（ＰＶＣ）、ポリオレフィン、ポリアセタール、ポリエステル、セルロースエーテル、ポリアルキレンスルフィド、ポリアリーレンオキサイド、ポリスルホン、改質ポリスルホンポリマーおよびポリビニルアルコール、ポリアミド、ポリスチレン、ポリアクリロニトリル、ポリビニリデンクロライド、ポリメタクリル酸メチル、およびポリビニリデンフルオリドを含むことができるがこれらに限られない。
【００７４】
ブリッジ部材
【００７５】
図６は、本発明のいくつかの態様による支持構造の斜視図６００を示す。示されているように、支持部材６０５および６１０は相互に連結して支持構造を形成する。示されているように、支持構造６００は、２つの支持部材６０５、６１０および３つのブリッジ部材６２０ａ、６２０ｂおよび６２０ｃを含む。もちろん、他の配置および多数の支持部材およびブリッジ部材を、本発明から逸脱することなく用いることができる。ブリッジ部材６２０ａおよび６２０ｃは、上記に記載したようなヘッダー構造および終端キャップ構造内のフィルター集成体と接続するように配置できる。一態様では、ブリッジ部材６２０ａ、６２０ｂおよび６２０ｃは、フィルタープリーツパックの下流表面上に追加の構造的な無欠陥性を提供できる。また、ブリッジ部材６２０ａ、６２０ｂおよび６２０ｃは、実質的に等距離の様式で支持部材６０５および６１０に間隔を提供できる。本発明の目的のために、ブリッジ部材は、フィルタープリーツ状媒体の下流表面積の約３０％以下を全体として制限するように組み立てられおよび配置されており、および下流表面積の、約２５％以下、例えば、約２０％以下、約１５％以下、約１０％以下、約５％以下を制限できる。一態様では、ブリッジ部材は、表面積のさらなる制限を提供する、かごまたは網構造の中に入らないように組み立てられおよび配置されている。
【００７６】
支持部材は、上記に記載した特徴またはプロファイルのいずれを含むことができる。上記に示したように、支持部材は、具体的に説明されたより、より多いかまたはより少ない数の支持部材およびより多いかまたはより少ない数のブリッジ部材を含むことができる。例えば、一態様では、２つまたは３つ以上の支持部材は、ブリッジ部材によってそれぞれの支持部材の少なくとも１つの終端上で相互に連結されていることができる。そうした態様において、中央のブリッジ部材はない。
【００７７】
支持部材６０５および６１０およびブリッジ部材６２０ａ、６２０ｂ、および６２０ｃは、同一または異なる材料でできていることができる。１つの非限定の例として、支持部材６０５および６１０およびブリッジ部材６２０ｂは、プラスチック、例えば、熱可塑性プラスチック、または金属を含むことができ、およびブリッジ部材６２０ａおよび６２０ｃは、プラスチック、例えば、熱可塑性プラスチック、または金属を独立して含むことができる。
【００７８】
これらの構造内に連結することによって、ブリッジ部材は、フィルタープリーツ状媒体のなんらかの表面積を制限できないか、またはフィルタープリーツ状媒体の表面積をほとんど制限できない。例えば、ポッティング材料は、ヘッダー構造内、終端キャップ構造内、またはブリッジ部材６２０ａおよび６２０ｃ上に流されるかまたは配置されることができ、およびつがいの構成部分に連結されることができる。これらの配置において、ポッティング材料は、支持部材またはフィルタープリーツ状媒体に沿って含まれることができるか、または含まれることができない。追加のブリッジ部材６２０ａ、６２０ｂおよび６２０ｃは、支持部材に垂直の配向で、フィルタープリーツパックの下流表面に沿って配置されることができ、ブリッジ部材６２０ｂで具体的に説明したようである。これらのブリッジ部材は、側板、支持部材、および／またはフィルタープリーツ状媒体に直接連結されることができる。これらのブリッジ部材は、高圧用途、または追加の構造的な支持が有用であることができる他の用途のための追加の支持を提供できる。一態様では、支持構造６００は、射出成形工程からなどの単一片設計であることができる。
【００７９】
図７は、本発明の別の態様による支持構造の斜視図７００を示す。支持構造７００は、上記に記載した支持構造６００と類似の構成部分を含むことができ、および、示されているように、支持部材７０５および７１０およびブリッジ部材７２０ａおよび７２０ｂを含むことができる。ブリッジ部材７２０ａおよび７２０ｂは、それぞれのブリッジ部材の長さに沿った複数のタブ７３０によってさらに特徴付けられていることができる。タブ７３０は、類似のまたは異なる長さであることができる。例えば、支持部材７０５および７１０の連結と交差するタブは、それぞれ、支持部材の近くに生じないことを確かにするようにより長いことができ、応力が掛かった場合、構造において故障点を提供できる。いくつかの態様において、ブリッジ部材７２０ａおよび／または７２０ｂは、Ｌ形によって特徴付けられることができ、上記の様に、Ｌの一部分が支持部材７０５および７１０に連結し、および別の部分がヘッダー構造および終端キャップ構造内で連結することを可能にする。タブ７３０は、隙間によって相互に分離されていることができ、およびいくつかの態様において、ブリッジ部材は、複数のタブの内それぞれのタブまたはいくつかのタブの間に隙間を画定する。ブリッジ部材の隙間およびタブベッド構造は、構成部分間で改善された連結を可能にする。例えば、ポッティング材料は、ブリッジ部材およびヘッダー構造および終端キャップ構造の間のポッティング材料の改善された分布を提供するために、隙間を通っておよびタブの周りを流れることができ、これは、高められた接着および設計におけるより少ない破壊点を提供できる。
【００８０】
ろ過方法
【００８１】
上記に記載したシステムおよび機器は種々の方法において使用されることができる。図８中で具体的に説明したように、方法８００は、本発明の態様による流体のろ過方法の選択された操作を含む。方法は、操作８１０においてフィルター集成体で流体を受けることを含むことができる。フィルター集成体は、上記に記載した構成部分のいずれかを含むことができ、およびいくつかの例において、ヘッダー構造および終端キャップ構造を有するフレームを含むことができ、複数の側板はヘッダー構造を終端キャップ構造に連結している。フィルター集成体はまた、複数の側板と連結された、例えば固定的に連結されたフィルタープリーツ状媒体を含むことができ、ここでフィルタープリーツ状媒体は、上流表面およびフィルター集成体を通って流体が流れる方向において上流表面と反対側の下流表面によって特徴付けられることができる。一態様では、フィルタープリーツ状媒体は、プリーツ状配置を有することができる。フィルター集成体は、フィルタープリーツパックの下流表面に沿ったヘッダー構造および終端キャップ構造に連結した支持部材をまた含むことができ、ここで支持部材はプリーツ状配置を少なくとも部分的に貫通しており、およびフィルタープリーツ状媒体のプリーツ状配置の少なくとも２つのひだの間を伸びる。一態様ではフィルター集成体は、上記に記載したようなフィルタープリーツ状媒体および支持部材を含むことができる。方法８００はまた、操作８２０でフィルター集成体によって受けられた流体をろ過することを含む。上記の様に、流体は、フィルタープリーツ状媒体に沿った任意の位置において、約２５ｍｍ以下のフィルタープリーツ状媒体の垂直軸から偏位を生じることができる。
【００８２】
この方法は、一般的なフィルター操作において、または試験操作において行われることができ、および追加の操作を含むことができる。例えば、試験方法はまた、操作７１０で流体を受ける前にフィルタープリーツ状媒体を載せることを含むことができる。例えば、ある試験操作は、試験を行う前のある期間にわたって特定の流量でフィルタープリーツ状媒体にほこりおよび／または水を載せることを含み、これは記載された受け取り操作および／またはろ過操作を含むことができる。一態様では受け取り操作は、フィルターのための破裂試験などの試験条件を含むことができる。破裂試験のある非限定の例は、圧力低下がターゲット圧力、例えば、６２．５ｋＰａに達するまで、装填されたフィルターをほこりおよび水に曝すことを含む。試験の間に追加の操作または性能は、フィルター上で流体効果を測定することを含むことができる。これらの効果は、腐食、損傷、またはフィルタープリーツ状媒体の中心からの、およびフィルタープリーツ状媒体に沿った任意の他の点における、偏位を含むことができる。当然のことながら、これらの操作のいずれも、本発明によって包含される例示的な方法において行うことができる。
【００８３】
支持部材を有するフィルター集成体の製造の方法は同様に開示され、および１つまたは２つ以上の支持部材とフィルタープリーツ状媒体とを連結することを含むことができる。上記に記載した支持部材配置またはフィルター媒体材料のいずれも製造において使用されることができる。連結は、支持部材とフィルタープリーツ状媒体とを接続するポッティング材料を利用することを含むことができる。追加の操作は、上記に記載したような支持部材または支持構造と、上記に記載したようなヘッダー構造、終端キャップ構造、および／または側板を含むフィルター集成体の追加のフレーム部分を連結することを含むことができる。操作は、ポッティング材料を利用して、支持部材、支持構造、および／またはフィルタープリーツ状媒体を、フレーム構成部分に連結することを含むことができる。追加の操作は、上記に記載したようなフィルターの試験、および製造プロセスの試験を含むことができ、操作に対して内部的および外部的の両方での任意の適用可能な基準に従うことを確かにする。
【００８４】
本発明の種々の態様の理解を提供するために、上記の記載において、説明の目的のために、多数の詳細が記述された。しかし、これらの詳細のいくつかなしで、またはさらなる詳細と伴に、ある態様を行うことができることを、当業者は理解するであろう。
【００８５】
幾つかの態様を開示して、種々の改質、代替の組み立て、および均等が態様の精神を離れる事なく使用されることができることを、当業者は理解するであろう。さらに、本発明を不必要に不明瞭にすることを避けるために、多くの周知の工程および要素が記載された。したがって、上記の記載は、本発明または請求項の範囲に限定されるべきではない。
【００８６】
ある範囲の値が提供される場合、そうでないと記載しない限り、範囲の上限と下限との間の下限の単位の最も小さい部分まで、その間に入るそれぞれの値もまた具体的に開示されたと理解される。すべての記載された値の間の任意のより狭い範囲または記載された範囲における記載されていない間に入る値およびその記載された範囲中の任意の他の記載されたまたはその間に入る値は包含される。これらのより小さい範囲の上限および下限は、独立して、その範囲内に含まれるかまたは除外されることができ、および限界値のいずれか、いずれもでないかまたは両方がより小さい範囲に含まれるそれぞれの範囲は本発明の範囲内にまた包含され、記載された範囲内の任意の具体的に除外された限界値にある。記載された範囲が限界の１つまたは両方を含む場合、これらの限界値のいずれかまたは両方を除く範囲がまた含まれる。
【００８７】
本明細書中で使用される場合および付属の請求項において、単数の形態「１つ」「１つの」、および「前記」は、内容がそうでないと明らかに記載しない限り、複数の参照を含む。したがって、例えば、「１つフィルター」への参照は、複数のそうしたフィルターを含み、および「その支持部材」への参照は、１つまたは２つ以上の支持部材および当業者に公知の均等物などへの参照を含む。
【００８８】
また、語句「を含む」、「を含んでいる」、「を包含する」、「を含有すること」、「を含有する」、「を含有すること」、および「を含める」は、本明細書および以下の請求項で使用される場合、記載された特徴、整数、構成部分、またはステップの存在を特定するために提供されるが、１つまたは２つ以上の他の特徴、整数、構成部分、ステップ、行動、または群の１つまたは２つ以上の存在または追加を除外しないことを意図する。
【実施例】
【００８９】
上記に記載したような支持部材を有しおよび有さないフィルター集成体上で試験を行った。
【００９０】
破裂試験の結果を特定の例とともに含める。
【００９１】
例１：８つのフィルタープリーツパックを含む４つの「Ｖ」パネルを有するＶパネルフィルターを試験した。Ｖパネルフィルターは、高さ５９４ｍｍ、幅５９４ｍｍ、および深さ６０７ｍｍの寸法を有した。プリーツパックにおいて支持部材を利用することなくＶパネルを製造した。Ｖパネルフィルターにわたる初期の圧力低下を測定し、および４,２５０ｍ３/時間で１５６Ｐａと決定した。１０００Ｐａに到達するまで、Ｖパネルフィルターに４,２５０ｍ３/時間の流量でほこりを載せた。プリーツパックの中心における偏位は５０ｍｍで測定された。これは過度であるとみなされ、および破裂試験を行なわなかった。
【００９２】
例２：  例１に記載されたように類似のＶパネルフィルターを製造したが、しかしＶパネルフィルターのそれぞれのプリーツパックは、上記に記載したようなＡＢＳプラスチックでできたＴ形の支持部材を含んでいた。支持部材は、プリーツ状配置内に少なくとも部分的に配置された厚さ３．１７５ｍｍ、幅２５．４ｍｍであり、およびフィルター媒体のプリーツパックの下流表面に沿って高さ１９ｍｍであった。これらの支持部材のうち２つは、それぞれのプリーツパックの下流表面上に配置された。支持部材は、それぞれのプリーツパックの上部から１／３および２／３の距離で配置された。プリーツパックをＶパネルフィルターに組み立てた。試験において、初期の圧力低下を測定しおよび４，２５０ｍ３/時間で１７６Ｐａと決定した。例１に記載されたのと類似の手順によりほこりを載せた後で、プリーツパックの中心で偏位は目立っていなかった。次に圧力低下が６２．５ｋＰａになるまで、フィルターをほこりおよび水に曝した。プリーツパックに連結された支持部材を有するＶパネルは、ほこりおよび水がきれいな側へバイパスすることを可能にしなかった、このように破裂試験を合格した。
【００９３】
例３：第１のＶパネルフィルターを例１と同じように製造したが、支持部材を含んでいなかった。第２のＶパネルフィルターは、例２と同じように製造されたが、その例において記載されたように、プリーツパック当たり１つの支持部材のＡＢＳプラスチックを含んでいた。第３のＶパネルフィルターを例２と同じように製造し、フィルター媒体の１/３および２/３高さ位置に位置するプリーツパック当たり２つの支持部材を含んでいた。圧力試験をすべての３つのＶパネルフィルター上で行った。第２および第３のＶパネルフィルターは、１ｋＰａの圧力低下まで外側への偏位を示さなかった。第１のＶパネルフィルターは、１ｋＰａ圧力低下でプリーツパックの中心において２５ｍｍの外側への偏位を示した。
【００９４】
例４：第１のＶパネルフィルターを、例１におけるのと同様に製造したが、本発明による支持部材を含んでいなかった。第２のＶパネルフィルターは例２におけるのと同様に製造され、フィルター媒体の１/３および２/３の高さの位置で、プリーツパック当たり２つの支持部材を含んでいた。気流試験を、Ｖパネルフィルターの両側上で行った。図９は、ライン９１０によって具体的に説明された第１のＶパネルフィルターとライン９２０によって具体的に説明された第２のＶパネルフィルターとの間の比較試験データを具体的に示す。具体的に説明されたように、支持部材は、２，０００ｍ３/時間未満から９，０００ｍ３/時間超までのすべての気流下で、１５％未満または１０％未満のフィルターにわたる圧力増加を生じた。
【００９５】
以下に、開示の理解を促進するためにさらなる例を記載する。
【００９６】
Ｅ１．ヘッダー構造と、終端キャップ構造と、ヘッダー構造を終端キャップ構造に連結している複数の側板を有するフレームと、複数の側板に連結されているフィルタープリーツ状媒体と、を含む、フィルター集成体であって、フィルタープリーツ状媒体は上流表面およびフィルター集成体を通って流れる方向における上流表面と反対側の下流表面を含み、フィルタープリーツ状媒体は、プリーツ状配置にある複数のひだおよびフレームの一部分に連結された支持部材を含み、およびフィルタープリーツ状媒体の上流表面または下流表面の少なくとも１つに沿って配置されており、支持部材はプリーツ状配置を少なくとも部分的に貫通している、フィルター集成体。
【００９７】
Ｅ２．支持部材は、フィルタープリーツ状媒体の上流表面に沿って配置されている、上記の例または下記の例に記載されたフィルター集成体。
【００９８】
Ｅ３．支持部材は、フィルタープリーツ状媒体の下流表面に沿って配置されている、上記の例または下記の例のいずれか１つに記載されたフィルター集成体。
【００９９】
Ｅ４．支持部材は、ヘッダー構造および終端キャップ構造に連結されている、上記の例または下記の例のいずれか１つに記載されたフィルター集成体。
【０１００】
Ｅ５．支持部材は、複数の側板の１つまたは２つ以上に連結されている、上記の例または下記の例のいずれか１つに記載されたフィルター集成体。
【０１０１】
Ｅ６．支持部材は、プリーツ状配置と位置合わせされている、上記の例または下記の例のいずれか１つに記載されたフィルター集成体。
【０１０２】
Ｅ７．フィルター集成体は、ヘッダー構造から終端キャップ構造へ先細りで伸びる２つのフィルタープリーツ状媒体を有するＶパネルフィルター集成体を含む、上記の例または下記の例のいずれか１つに記載されたフィルター集成体。
【０１０３】
Ｅ８．フィルタープリーツ状媒体は、ヘッダー構造から終端キャップ構造へ側板の間を伸びる単一のプリーツパックを含む、上記の例または下記の例のいずれか１つに記載されたフィルター集成体。
【０１０４】
Ｅ９．支持部材は、フィルタープリーツ状媒体にわたって異なる場所に配置されている２つの支持部材を含む、上記の例または下記の例のいずれか１つに記載されたフィルター集成体。
【０１０５】
Ｅ１０．支持部材は、フィルタープリーツパックの下流表面に沿って伸びる第１の部分、およびフィルタープリーツ状媒体の少なくとも２つのひだの間のプリーツ状配置中に伸びる第２の部分を有するＴ形断面を含む、上記の例または下記の例のいずれか１つに記載されたフィルター集成体。
【０１０６】
Ｅ１１．支持部材は、フィルタープリーツパックの上流表面または下流表面の少なくとも１つに沿った少なくとも２つの支持部材を含む、上記の例または下記の例のいずれか１つに記載されたフィルター集成体。
【０１０７】
Ｅ１２．支持部材は、プラスチック、熱可塑性物質、熱硬化性物質、セラミック、もしくはカーボン繊維、金属、またはそれらの組み合わせを含む、上記の例または下記の例のいずれか１つに記載されたフィルター集成体。
【０１０８】
Ｅ１３．支持部材はひだ幅より大きい幅を有し、支持部材の幅は約１００ｍｍ以下である、上記の例または下記の例のいずれか１つに記載されたフィルター集成体。
【０１０９】
Ｅ１４．支持部材は、流れに直角な（ｔｒａｎｓｖｅｒｓｅ ｔｏ ｔｈｅ ｆｌｏｗ）フィルタープリーツ状媒体の上流表面積または下流表面積の約３０％以下を制限する、上記の例または下記の例のいずれか１つに記載されたフィルター集成体。
【０１１０】
Ｅ１５．フィルター集成体は、少なくとも６２．５ｋＰａの差圧に対してその構造を実質的に維持するように構成されている、上記の例または下記の例のいずれか１つに記載されたフィルター集成体。
【０１１１】
Ｅ１６．支持部材は、相互に連結されている複数の支持部材を含む、上記の例または下記の例のいずれか１つに記載されたフィルター集成体。
【０１１２】
Ｅ１７．ヘッダー構造および終端キャップ構造を有するフレームと、複数の側板に連結されている２つのフィルタープリーツ状媒体と、それぞれのフィルタープリーツ状媒体の上流表面または下流表面の少なくとも１つにそれぞれ連結されおよび沿っている少なくとも２つの支持部材と、を含む、Ｖパネルフィルター集成体であって、
複数の側板はヘッダー構造を終端キャップ構造に連結しており、終端キャップ構造は複数の側板のうち２つに連結された終端キャップを含み、
それぞれのフィルタープリーツ状媒体は上流表面およびフィルター集成体を通って流れる方向において上流表面と反対にある下流表面を含み、それぞれのフィルタープリーツ状媒体はフィルタープリーツ状媒体の上部とフィルタープリーツ状媒体の底部との間のプリーツ状配置を含み、それぞれのフィルタープリーツ状媒体はヘッダー構造および終端キャップに先細りの配置で連結されており、フィルタープリーツ状媒体はプリーツ状配置にある複数のひだを含み、
少なくとも２つの支持部材のそれぞれの少なくとも一部はプリーツ状配置内を少なくとも部分的に貫通しおよびフィルタープリーツ状媒体のプリーツ状配置のひだ内を伸びている、Ｖパネルフィルター集成体。
【０１１３】
Ｅ１８．少なくとも２つの支持部材は、フィルタープリーツ状媒体の上流表面に沿って配置されている、上記の例または下記の例のいずれか１つに記載されたＶパネルフィルター集成体。
【０１１４】
Ｅ１９．少なくとも２つの支持部材は、フィルタープリーツ状媒体の下流表面に沿って配置されている、上記の例または下記の例のいずれか１つに記載されたＶパネルフィルター集成体。
【０１１５】
Ｅ２０．少なくとも２つの支持部材は、ヘッダー構造および終端キャップ構造に連結されている、上記の例または下記の例のいずれか１つに記載されたＶパネルフィルター集成体。
【０１１６】
Ｅ２１．少なくとも２つの支持部材は、複数の側板の１つまたは２つ以上に連結されている、上記の例または下記の例のいずれか１つに記載されたＶパネルフィルター集成体。
【０１１７】
Ｅ２２．少なくとも２つの支持部材は、プリーツ状配置と位置合わせされている、上記の例または下記の例のいずれか１つに記載されたＶパネルフィルター集成体。
【０１１８】
Ｅ２３．支持部材は、フィルタープリーツ状媒体にわたって異なる場所に配置されている２つの支持部材を含む、上記の例または下記の例のいずれか１つに記載されたＶパネルフィルター集成体。
【０１１９】
Ｅ２４．複数の支持部材は、少なくとも１つの他の支持部材およびフィルタープリーツ状媒体の上部もしくは底部から、または少なくとも２つの他の支持部材からそれぞれ実質的に等距離に配置されている、上記の例または下記の例のいずれか１つに記載されたＶパネルフィルター集成体。
【０１２０】
Ｅ２５．フィルタープリーツ状媒体は、スパンボンドポリマー繊維の媒体を含む、上記の例または下記の例のいずれか１つに記載されたＶパネルフィルター集成体。
【０１２１】
Ｅ２６．フィルタープリーツ状媒体は、延伸可能なポリテトラフルオロエチレンを含む、上記の例または下記の例のいずれか１つに記載されたＶパネルフィルター集成体。
【０１２２】
Ｅ２７．少なくとも２つの支持部材は、フィルタープリーツ状媒体の上流表面積または下流表面積の約３０％以下を制限する、上記の例または下記の例のいずれか１つに記載されたＶパネルフィルター集成体。
【０１２３】
Ｅ２８．フレーム内の２つのフィルタープリーツ状媒体は、少なくとも約１ｋＰａのフィルタープリーツパックの上流表面および下流表面にわたる差流体圧力で、フィルタープリーツ状媒体の垂直軸から約２０ｍｍ以下外側へ偏位するようにそれぞれ構成されている、上記の例または下記の例のいずれか１つに記載されたＶパネルフィルター集成体。
【０１２４】
Ｅ２９．Ｖパネルフィルター集成体は、６２．５ｋＰａ以上の差圧に対してその構造を実質的に維持するように構成されている、上記の例または下記の例のいずれか１つに記載されたＶパネルフィルター集成体。
【０１２５】
Ｅ３０．流体のろ過方法であって、この方法は、
フィルター集成体で流体を受けることと、
このフィルター集成体によって流体をろ過することと、
を含み、
このフィルター集成体は、
ヘッダー構造および終端キャップ構造を有するフレームと、
複数の側板に連結されているフィルタープリーツ状媒体と、
フレームの一部分に連結されておりおよびフィルタープリーツ状媒体の上流表面または下流表面の少なくとも１つに沿って配置されている支持部材と、
を含み、
複数の側板はヘッダー構造を終端キャップ構造に連結しており、
フィルタープリーツ状は上流表面およびフィルター集成体を通って流体が流れる方向において上流表面と反対の下流表面を含み、フィルタープリーツ状媒体はプリーツ状配置を含み、
支持部材はプリーツ状配置を少なくとも部分的に貫通しておりおよびフィルタープリーツ状媒体のプリーツ状配置のひだ内の伸びており、
流体はフィルタープリーツ状媒体に沿った任意の位置において約２５ｍｍ未満のフィルタープリーツ状媒体の垂直軸からの偏位を生じる、方法。
【０１２６】
Ｅ３１．フィルター集成体は、少なくとも６２．５ｋＰａの流体によって掛けられる差圧に対してその構造を実質的に維持するように構成されている、上記の例または下記の例のいずれか１つに記載された方法。
【０１２７】
Ｅ３２．支持部材は、支持部材のないフィルタープリーツ状媒体にわたる差圧より約１０％未満高く操作中のフィルタープリーツ状媒体にわたる差圧を増加させる、上記の例のいずれか１つに記載された方法。
【０１２８】
Ｅ３３．フィルタープリーツ状媒体を含むフィルター集成体であって、フィルタープリーツ状媒体は上流表面およびフィルター集成体を通って流体が流れる方向において上流表面と反対側の下流表面を含み、フィルタープリーツ状媒体はプリーツ状配置を含み、支持部材はフィルタープリーツ状媒体の上流表面または下流表面の少なくとも１つに連結されており、支持部材の少なくとも一部はフィルタープリーツ状媒体のプリーツ状配置のひだ内を伸びている、フィルター集成体。
【０１２９】
Ｅ３４．支持部材の高さは、フィルタープリーツ状媒体のプリーツ状配置の単一のひだの高さに類似している、上記の例または下記の例のいずれか１つに記載されたフィルター集成体。
【０１３０】
Ｅ３５．支持部材は、フィルタープリーツ（ｆｉｌｔｅｒ  ｐｌｅａｔ）媒体の上流表面または下流表面の少なくとも１つに沿って伸びている第１の部分、およびフィルタープリーツ媒体のひだ内のプリーツ状配置中に伸びている第２の部分を有するＴ形断面を含む、上記の例または下記の例のいずれか１つに記載されたフィルター集成体。
【０１３１】
Ｅ３６．支持部材の第１の部分は、少なくとも１つの開口を含む、上記の例または下記の例のいずれか１つに記載されたフィルター集成体。
【０１３２】
Ｅ３７．フィルター集成体は、２つまたは３つ以上の支持部材を含む、上記の例のいずれか１つに記載されたフィルター集成体。
【０１３３】
Ｅ３８．２つまたは３つ以上の支持部材は、ブリッジ部材によってそれぞれの支持部材の少なくとも１つの終端上で相互に連結されている、上記の例または下記の例のいずれか１つに記載されたフィルター集成体。
【０１３４】
Ｅ３９．ブリッジ部材は、ブリッジ部材の長さに沿った複数のタブを含み、およびブリッジ部材は複数のタブのうちのタブの間の隙間を画定する、上記の例または下記の例のいずれか１つに記載されたフィルター集成体。
【０１３５】
Ｅ４０．フィルタープリーツ状媒体と、フィルタープリーツ状媒体の上流表面に連結されている支持部材と、を含む、フィルター集成体であって、フィルタープリーツ状媒体は、上流表面およびフィルター集成体を通って流体が流れる方向において上流表面と反対側の下流表面を含み、フィルタープリーツ状媒体はプリーツ状配置を含み、支持部材の少なくとも一部はフィルタープリーツ状媒体のプリーツ状配置のひだ内を伸びている、フィルター集成体。
【０１３６】
Ｅ４１．フィルタープリーツ状媒体と、フィルタープリーツ状媒体の下流表面に連結されている支持部材と、を含む、フィルター集成体であって、フィルタープリーツ状媒体は、上流表面およびフィルター集成体を通って流体が流れる方向において上流表面と反対側の下流表面を含み、フィルタープリーツ状媒体はプリーツ状配置を含み、支持部材の少なくとも一部はフィルタープリーツ状媒体のプリーツ状配置のひだ内を伸びている、フィルター集成体。
（態様）
（態様１）
フィルタープリーツ状媒体と、前記フィルタープリーツ状媒体の上流表面または下流表面の少なくとも１つに沿って配置されている支持部材と、を含む、フィルター集成体であって、前記フィルタープリーツ状媒体は前記上流表面および前記フィルター集成体を通って流れる方向において前記上流表面と反対にある前記下流表面を含み、前記フィルタープリーツ状媒体はプリーツ状配置にある複数のひだを含み、前記支持部材は前記プリーツ状配置を少なくとも部分的に貫通している、フィルター集成体。
（態様２）
前記支持部材は、前記フィルタープリーツ状媒体の前記上流表面に連結されている、態様１に記載されたフィルター集成体。
（態様３）
前記支持部材は、前記フィルタープリーツ状媒体の前記下流表面に連結されている、態様１に記載されたフィルター集成体。
（態様４）
ヘッダー構造、終端キャップ構造、および前記ヘッダー構造を前記終端キャップ構造に連結している複数の側板を有するフレームをさらに含み、前記支持部材は、前記フレームの一部分に連結されている、上記または下記の態様に記載されたフィルター集成体。
（態様５）
前記支持部材は、前記ヘッダー構造および前記終端キャップ構造に連結されている、上記態様のいずれかに記載されたフィルター集成体。
（態様６）
前記支持部材は、複数の側板の１つまたは２つ以上に連結されている、上記態様のいずれかに記載されたフィルター集成体。
（態様７）
前記支持部材は、前記プリーツ状配置と位置合わせされている、上記態様のいずれかに記載されたフィルター集成体。
（態様８）
前記フィルター集成体は、前記ヘッダー構造から前記終端キャップ構造へ先細りで伸びる２つのフィルタープリーツ状媒体を有するＶパネルフィルター集成体を含む、上記態様のいずれかに記載されたフィルター集成体。
（態様９）
前記フィルタープリーツ状媒体は、前記ヘッダー構造から前記終端キャップ構造へ前記側板の間を伸びる単一のプリーツパックを含む、上記態様のいずれかに記載されたフィルター集成体。
（態様１０）
前記支持部材は、前記フィルタープリーツ状媒体にわたって異なる場所に配置されている２つまたは３つ以上の支持部材を含む、上記態様のいずれかに記載されたフィルター集成体。
（態様１１）
前記支持部材は、前記フィルタープリーツ媒体の前記上流表面または前記下流表面の少なくとも１つに沿って伸びる第１の部分、および前記フィルタープリーツ状媒体の少なくとも２つのひだの間の前記プリーツ状配置中に伸びる第２の部分を有するＴ形断面を含む、上記態様のいずれかに記載されたフィルター集成体。
（態様１２）
前記支持部材は、プラスチック、熱可塑性物質、熱硬化性物質、セラミック、またはカーボン繊維、金属、またはそれらの組み合わせを含む、上記態様のいずれかに記載されたフィルター集成体。
（態様１３）
前記支持部材は、ひだ幅より大きい幅を有し、前記支持部材の前記幅は、約１００ｍｍ以下である、上記態様のいずれかに記載されたフィルター集成体。
（態様１４）
前記支持部材は、前記流れに直角な前記フィルタープリーツ状媒体の上流表面積または下流表面積の約３０％以下に制限する、上記態様のいずれかに記載されたフィルター集成体。
（態様１５）
前記フィルター集成体は、少なくとも６２．５ｋＰａの差圧に対してその構造を実質的に維持するように構成されている、上記態様のいずれかに記載されたフィルター集成体。
（態様１６）
前記支持部材は、相互に連結されている複数の支持部材を含む、上記態様のいずれかに記載されたフィルター集成体。
（態様１７）
前記支持部材の第１の高さは、前記フィルタープリーツ状媒体の前記プリーツ状配置の単一のひだの第２の高さに類似している、上記態様のいずれかに記載されたフィルター集成体。
（態様１８）
前記支持部材の第１の部分は、少なくとも１つの開口を含む、上記態様のいずれかに記載されたフィルター集成体。
（態様１９）
前記支持部材は、２つまたは３つ以上の支持部材を含み、および前記２つまたは３つ以上の支持部材は、ブリッジ部材によって前記２つまたは３つ以上の支持部材の各支持部材の少なくとも１つの終端上で相互に連結されている、上記態様のいずれかに記載されたフィルター集成体。
（態様２０）
前記ブリッジ部材は前記ブリッジ部材の長さに沿った複数のタブを含み、前記ブリッジ部材は前記複数のタブのうちのタブの間の隙間を画定する、態様１９に記載されたフィルター集成体。
（態様２１）
ヘッダー構造および終端キャップ構造を有するフレームと、複数の側板に連結されている２つのフィルタープリーツ状媒体と、それぞれの前記フィルタープリーツ状媒体の上流表面または下流表面の少なくとも１つにそれぞれ連結されおよび沿っている少なくとも２つの支持部材と、を含む、Ｖパネルフィルター集成体であって、
前記複数の側板は前記ヘッダー構造を前記終端キャップ構造に連結しており、前記終端キャップ構造は前記複数の側板のうち２つに連結された終端キャップを含み、
それぞれの前記フィルタープリーツ状媒体は前記上流表面および前記フィルター集成体を通って流れる方向において前記上流表面と反対にある前記下流表面を含み、それぞれの前記フィルタープリーツ状媒体は前記フィルタープリーツ状媒体の上部と前記フィルタープリーツ状媒体の底部との間のプリーツ状配置を含み、それぞれの前記フィルタープリーツ状媒体は前記ヘッダー構造および前記終端キャップに先細りの配置で連結されており、前記フィルタープリーツ状媒体はプリーツ状配置にある複数のひだを含み、
前記少なくとも２つの支持部材のそれぞれの少なくとも一部は前記プリーツ状配置内を少なくとも部分的に貫通しおよび前記フィルタープリーツ状媒体の前記プリーツ状配置のひだ内を伸びている、Ｖパネルフィルター集成体。
（態様２２）
前記少なくとも２つの支持部材は、前記フィルタープリーツ状媒体の前記上流表面に沿って配置されている、態様２１に記載されたＶパネルフィルター集成体。
（態様２３）
前記少なくとも２つの支持部材は、前記フィルタープリーツ状媒体の前記下流表面に沿って配置されている、態様２１に記載されたＶパネルフィルター集成体。
（態様２４）
前記少なくとも２つの支持部材は、前記ヘッダー構造および前記終端キャップ構造に連結されている、上記態様のいずれかに記載されたＶパネルフィルター集成体。
（態様２５）
前記少なくとも２つの支持部材は、前記複数の側板の１つまたは２つ以上に連結されている、上記態様のいずれかに記載されたＶパネルフィルター集成体。
（態様２６）
前記少なくとも２つの支持部材は、前記プリーツ状配置と位置合わせされている、上記態様のいずれかに記載されたＶパネルフィルター集成体。
（態様２７）
前記支持部材は、前記フィルタープリーツ状媒体にわたって異なる場所に配置されている２つの支持部材を含む、上記態様のいずれかに記載されたＶパネルフィルター集成体。
（態様２８）
前記複数の支持部材の前記支持部材は、少なくとも１つの他の支持部材および前記フィルタープリーツ状媒体の前記上部もしくは前記底部からまたは少なくとも２つの他の支持部材からそれぞれ実質的に等距離に配置されている、上記態様のいずれかに記載されたＶパネルフィルター集成体。
（態様２９）
前記フィルタープリーツ状媒体は、スパンボンドポリマー繊維の媒体を含む、上記態様のいずれかに記載されたＶパネルフィルター集成体。
（態様３０）
前記フィルタープリーツ状媒体は、延伸可能なポリテトラフルオロエチレンを含む、上記態様のいずれかに記載されたＶパネルフィルター集成体。
（態様３１）
前記少なくとも２つの支持部材は、前記フィルタープリーツ状媒体の上流表面積または下流表面積の約３０％以下を制限する、上記態様のいずれかに記載されたＶパネルフィルター集成体。
（態様３２）
前記フレーム内の前記２つのフィルタープリーツ状媒体は、少なくとも約１ｋＰａの前記フィルタープリーツ媒体の前記上流表面および下流表面にわたる差流体圧力で、前記フィルタープリーツ状媒体の垂直軸から約２０ｍｍ以下外側へ偏位するようにそれぞれ構成されている、上記態様のいずれかに記載されたＶパネルフィルター集成体。
（態様３３）
前記Ｖパネルフィルター集成体は、６２．５ｋＰａ以上の差圧に対してその構造を実質的に維持するように構成されている、上記態様のいずれかに記載されたＶパネルフィルター集成体。
（態様３４）
流体のろ過方法であって、前記方法は、
フィルター集成体で前記流体を受けることと、
前記フィルター集成体によって前記流体をろ過することと、
を含み、
前記フィルター集成体は、
ヘッダー構造および終端キャップ構造を有するフレームと、
複数の側板に連結されているフィルタープリーツ状媒体と、
前記フレームの一部分に連結されておりおよび前記フィルタープリーツ状媒体の上流表面または下流表面の少なくとも１つに沿って配置されている支持部材と、
を含み、
前記複数の側板は前記ヘッダー構造を前記終端キャップ構造に連結しており、
前記フィルタープリーツ状は前記上流表面および前記フィルター集成体を通って流体が流れる方向において前記上流表面と反対の前記下流表面を含み、前記フィルタープリーツ状媒体はプリーツ状配置を含み、
前記支持部材は前記プリーツ状配置を少なくとも部分的に貫通しておりおよび前記フィルタープリーツ状媒体の前記プリーツ状配置のひだ内の伸びており、
前記流体は前記フィルタープリーツ状媒体に沿った任意の位置において約２５ｍｍ未満の前記フィルタープリーツ状媒体の垂直軸からの偏位を生じる、方法。
（態様３５）
前記支持部材は、前記支持部材のない前記フィルタープリーツ状媒体にわたる差圧より約１０％未満高く操作中の前記フィルタープリーツ状媒体にわたる差圧を増加させる、態様３４に記載された方法。
【図１Ａ】
0006674025.tif 000002
【図１Ｂ】
0006674025.tif 000003
【図２】
0006674025.tif 000004
【図３】
0006674025.tif 000005
【図４Ａ】
0006674025.tif 000006
【図４Ｂ】
0006674025.tif 000007
【図５Ａ】
0006674025.tif 000008
【図５Ｂ】
0006674025.tif 000009
【図６】
0006674025.tif 000010
【図７】
0006674025.tif 000011
【図８】
0006674025.tif 000012
【図９】
0006674025.tif 000013